(57)【要約】      （修正有）【課題】円滑に書類を封筒内に挿入できるとともに、簡単な構造で低コストで製造できるうえ、書類に記載した宛て先と窓付き封筒の窓部分との位置合わせをスムーズに行いながら作業を行える書類の封筒への挿入具を提供する。【解決手段】封筒内に書類を挿入するに先立って挿入すべき書類を板面に沿って配置し支持する型板１２を含み、型板１２は、書類を板面に沿って着脱自在に支持する着脱支持部１４と、書類を支持した型板１２を封筒内に挿入した状態で、封筒の外部からの操作で封筒と書類とを圧接させて、型板１２と書類との係合を強制離脱させて型板１２のみを封筒内から取出し可能とする切欠き１６と、を備える。【選択図】図１
0003170064.tif 000002
【実用新案登録請求の範囲】
【請求項１】
封筒内に書類を挿入するに先立って挿入すべき書類を板面に沿って配置し支持する型板を含み、
型板は、書類を板面に沿って着脱自在に支持する着脱支持部と、
書類を支持した型板を封筒内に挿入した状態で、封筒の外部からの操作で封筒と書類とを圧接させて、型板と書類との係合を強制離脱させて型板のみを封筒内から取出し可能とする切欠きと、を備えたことを特徴とする書類の封筒への挿入具。
【請求項２】
型板の着脱支持部は、書類を間に挟むように重ねられる２枚の薄板からなることを特徴とする請求項１記載の書類の封筒への挿入具。
【請求項３】
２枚の薄板は、１枚の板材を折り曲げて一体的に設けられ、自在に開閉することを特徴とする請求項２記載の書類の封筒への挿入具。
【請求項４】
２枚の薄板は、互いに閉じる方向に付勢されたことを特徴とする請求項３記載の書類の封筒への挿入具。
【請求項５】
型板には、該型板を封筒内に挿入した状態で封筒の開口から外側に突出される取出し操作用のつまみ部が設けられたことを特徴とする請求項１ないし４のいずれかに記載の書類の封筒への挿入具。
【請求項６】
型板は、透明なプラスチックで設けられたことを特徴とする請求項１ないし５のいずれかに記載の書類の封筒への挿入具。
【考案の詳細な説明】
【技術分野】
【０００１】
本考案は、書類を封筒へ挿入するのに手軽で便利な書類の封筒への挿入具に関する。
【背景技術】
【０００２】
納品書、請求書、領収書、ダイレクトメール、その他書類等を封筒内に挿入する際には、書類が薄くてたわみやすいとともに、封筒も薄く設けられていることから、書類を封筒内に挿入しにくく面倒であるとともに、書類が折れ曲がったり、皺が生じたりしてしまう場合があった。また、例えば、納品書や請求書等の書類では、書類に住所、氏名等の宛て先等を記載しておき、窓付きの封筒に入れた書類の宛て先を封筒の宛て先として利用する場合がある。この場合、書類に記載された宛て先の位置を封筒の窓部分に正確に合わせる必要があるが、上記のように書類の封筒への挿入操作が煩雑であることも相俟って位置がずれやすい。書類の宛て先の位置が封筒の窓部分からずれてしまうと宛て先が視認できなくなって配送できなくなる問題も生じるため、当該挿入作業には正確性が要求される。特に書類の封筒への挿入処理数量が多い場合には、作業が極めて煩雑となり労力、時間がかかっていた。
【０００３】
例えば、特許文献１には、人手によって封筒に封入物を挿入する際に使用される封入物挿入補助具の技術が開示されている。特許文献１の封入物挿入補助具は、先端に、基礎面より僅かに浮いていて基礎面上を接近してくる封筒の中に挿入可能な舌部が形成されて封筒に挿入される封入物を載せることができる挿入台と、先端が舌部の先端かやや後方に設定されて挿入台上に回動可能に設けられ、舌部が封筒内に挿入するときにその先端の挿入部分が挿入され、上面が後方ほど漸高に形成された板状の挿入ガイドとからなるものであった。
【先行技術文献】
【特許文献】
【０００４】
【特許文献１】特許第４６７３１２６号公報
【考案の概要】
【考案が解決しようとする課題】
【０００５】
しかしながら、特許文献１の挿入補助具では、机上等の基礎面の上に封入物を載せる挿入台を設置させる構造であるので挿入具全体が大型で重量があるとともに、回動するガイド等の部材点数も多く、構造が複雑で製造コストが高いものであった。また、ある程度大きな作業スペースが必要であるとともに、不使用時の収納、保管時にも場所をとっていた。さらに、特許文献１の挿入補助具では、宛て先等が記載されている封入物を、窓付きの封筒に挿入する際に、封入物に記載された宛て先と窓付き封筒の窓部分とを正確に位置合わせすることは困難ないし不可能であり、書類の宛て先と封筒の窓部分とのずれが生じる問題については依然として解決できず、窓付き封筒への挿入作業については実用性に劣るものであった。
【０００６】
本考案は、上記従来の課題に鑑みてなされたものであり、その１つの目的は、円滑に書類を封筒内に挿入できるとともに、簡単な構造で低コストで製造できるうえ、書類に記載した宛て先と窓付き封筒の窓部分との位置合わせを正確に行いながら作業を行える書類の封筒への挿入具を提供することにある。
【課題を解決するための手段】
【０００７】
上記課題を解決するために本考案は、封筒７０内に書類８０を挿入するに先立って挿入すべき書類８０を板面に沿って配置し支持する型板１２を含み、型板１２は、書類８０を板面に沿って着脱自在に支持する着脱支持部１４と、書類８０を支持した型板１２を封筒７０内に挿入した状態で、封筒７０の外部からの操作で封筒７０と書類８０とを圧接させて、型板１２と書類８０との係合を強制離脱させて型板１２のみを封筒７０内から取出し可能とする切欠き１６と、を備えたことを特徴とする書類の封筒への挿入具１０から構成される。
【０００８】
また、型板１２の着脱支持部１４は、書類８０を間に挟むように重ねられる２枚の薄板１８からなることとしてもよい。
【０００９】
また、２枚の薄板１８は、１枚の板材１７を折り曲げて一体的に設けられ、自在に開閉することとしてもよい。
【００１０】
また、２枚の薄板１８は、互いに閉じる方向に付勢されたこととしてもよい。
【００１１】
また、型板１２には、該型板１２を封筒７０内に挿入した状態で封筒７０の開口７２から外側に突出される取出し操作用のつまみ部２０が設けられたこととしてもよい。
【００１２】
また、型板１２は、透明なプラスチックで設けられたこととしてもよい。
【考案の効果】
【００１３】
本考案の書類の封筒への挿入具によれば、封筒内に書類を挿入するに先立って挿入すべき書類を板面に沿って配置し支持する型板を含み、型板は、書類を板面に沿って着脱自在に支持する着脱支持部と、書類を支持した型板を封筒内に挿入した状態で、封筒の外部からの操作で封筒と書類とを圧接させて、型板と書類との係合を強制離脱させて型板のみを封筒内から取出し可能とする切欠きと、を備えたことから、型板に書類を支持させることで書類が曲がったり皺がよったりするのを良好に防止できる状態で、封筒内にスムーズにかつ確実に、素早く挿入操作を行える。特に、宛て先等が記載された書類を窓付き封筒内に挿入する際に、書類に記載された宛て先等の位置と窓付き封筒の窓部分との位置合わせを正確に、かつスムーズに行うことができる。その結果、封筒挿入の作業効率を向上し、労力軽減、作業時間短縮を実現できる。また、挿入具の構成が簡単であり、低コストで製造できる。
【００１４】
また、型板の着脱支持部は、書類を間に挟むように重ねられる２枚の薄板からなる構成することにより、型板に書類をより確実に支持させることができ、封筒内への挿入をスムーズに行えるとともに、書類の折れ曲がりや皺が生じるのを確実に防止できる。
【００１５】
また、２枚の薄板は、１枚の板材を折り曲げて一体的に設けられ、自在に開閉する構成とすることにより、簡単に製造できるとともに、２枚の薄板を一体的に扱え、使い勝手が良いうえ、薄板を開閉させて書類の支持を簡単に行える。
【００１６】
また、２枚の薄板は、互いに閉じる方向に付勢された構成とすることにより、２枚の薄板の間へ書類を配置すると付勢力で書類を挟むので型板への書類の支持操作を簡単に行える。
【００１７】
また、型板には、該型板を封筒内に挿入した状態で封筒の開口から外側に突出される取出し操作用のつまみ部が設けられた構成とすることにより、つまみ部を介して取り出し操作を行なう際に封筒や書類等と干渉しにくく書類を封筒内の所定の挿入位置に保持させて、確実にかつスムーズに型板のみを取り出すことができる。
【００１８】
また、型板は、透明なプラスチックで設けられた構成とすることにより、透明であるので、例えば、型板に書類を支持させた状態で書類に記載されている宛て先等の位置を目で容易に確認でき、書類の挿入する方向や位置等を把握しながら挿入操作を正確に行える。また、型板がプラスチック製であるので、型板と書類との摩擦及び型板と封筒との摩擦が紙製等よりも比較的少なく、スムーズに型板のみの取り出しを行える。さらに、軽量で型板自体が折れ曲がったり破けたり、損傷したりしにくく使い勝手がよいうえ、低コストで製造できる。
【図面の簡単な説明】
【００１９】
【図１】本考案の第１の実施形態に係る書類の封筒への挿入具の斜視図である。
【図２】図１の書類の封筒への挿入具の正面図である。
【図３】図１の書類の封筒への挿入具のＡ−Ａ線断面図である。
【図４】図１の書類の封筒への挿入具の展開図である。
【図５】図１の書類の封筒への挿入具に書類を支持させる際の作用説明図である。
【図６】図１の書類の封筒への挿入具で書類を封筒に挿入する際の作用説明図である。
【図７】本考案の第２の実施形態に係る書類の封筒への挿入具の斜視図である。
【図８】図７の書類の封筒への挿入具の展開図である。
【図９】図７の書類の封筒への挿入具に書類を支持させる際の作用説明図である。
【図１０】図７の書類の封筒への挿入具で書類を封筒に挿入する際の作用説明図である。
【考案を実施するための形態】
【００２０】
以下、添付図面を参照しつつ本考案の書類の封筒への挿入具の実施の形態について説明する。本考案の書類の封筒への挿入具は、例えば人の手によって封筒内に書類を挿入するのに便利なものである。図１ないし図６は、本考案に係る書類の封筒への挿入具の一実施形態を示している。図１に示すように、本実施形態において、書類の封筒への挿入具１０は、書類８０の着脱支持部１４と、着脱支持部１４に設けられた切欠き１６と、を備えた型板１２を含む。
【００２１】
本実施形態では、書類を挿入する封筒７０は、例えば、図６に示すように、一方に長い長方形状で紙製の偏平袋であり、１つの短辺側のみが開口７２し他の３辺が閉じられているとともに、該短辺側には開口７２を閉鎖するフラップ７４が一体的に設けられる。さらに、封筒７０の表面側には、セロハン等の透明素材からなる透明窓部７６が設けられており、封筒７０は窓付き封筒となっている。封筒７０のサイズは、例えば、１２０ｍｍ×２３５ｍｍのいわゆる長形３号規格サイズである。封筒７０に挿入する書類８０は、例えば、表面に宛て先８２の住所、氏名が記載された納品書や請求書等からなる。書類８０は、例えば、封筒７０内に入るサイズで形成されているか、又はＡ４、Ａ５等の封筒よりも大きなサイズの紙を封筒７０に挿入できる大きさに折り曲げられたものである。書類８０のサイズは、例えば、封筒に入れる直前のサイズが約１００ｍｍ×２１０ｍｍ程度となっている。書類８０は、封筒７０内に挿入された際に、宛て先８２表示が封筒７０の透明窓部７６と位置合わせされて、封筒７０の宛て先として利用できるようになっている。
【００２２】
型板１２は、封筒７０内に書類８０を挿入するに先立って挿入すべき該書類８０を支持する支持板であり、書類８０とともに封筒７０内に挿入された後、型板１２のみが封筒７０から取り出されることにより書類８０を封筒７０内に挿入させる、挿入ガイド手段又は挿入補助手段である。この型板１２に封筒挿入前に書類８０を支持させることにより、挿入操作時に書類が撓んだり、折れ曲がったり、皺が生じたりするのを良好に防止し、書類を保護しながら円滑な挿入を行える。図１、図２に示すように、本実施形態では、型板１２は、書類８０を着脱自在に支持する着脱支持部１４と、着脱支持部に形成される切欠き１６と、を備えている。型板１２は、例えば、ある程度の硬さで形状保持性と弾性を有するポリエチレンテレフタレート（ＰＥＴ）等の透明なプラスチックで設けられている。型板１２は、基本的には、紙、金属、木、ガラス等その他書類を支持できる透明、半透明、不透明の任意の素材で設けても良い。しかしながら、強度、耐久性、重さ、使い勝手や安全性、製造コスト等から透明プラスチック等の硬質合成樹脂が好適である。また、型板１２は、無色又は着色でもよい。
【００２３】
図１、図３、図４に示すように、具体的には、型板１２は、例えば、図３に示すような所定の形状で加工された１枚の透明プラスチック製の板材１７を中央で２つ折りして２枚の薄板体を重ね合わせた構成となっており、着脱支持部１４と、後述のつまみ部２０と、が一体的に形成されている。すなわち、型板１２は、例えば、同一形状の２枚の薄板体が重ね合わされ、それらの一辺側のみで接続されて構成されている。よって、着脱支持部１４は、書類８０を間に挟むように重ねられる２枚の薄板１８から構成される。着脱支持部１４は、例えば、封筒７０及び書類８０のサイズに対応して、型板１２の大部分を占める略長方形部分で主に構成されており、例えば、１１５ｍｍ×１８０ｍｍ程度の大きさで設けられている。図５にも示すように、着脱支持部１４は、２枚の薄板１８の長辺方向の一辺側を互いに接続するとともに他の３辺側を自由に開放して、接続辺部２２を中心に自在に開閉するようになっている。さらに、着脱支持部１４を構成する２枚の薄板１８は、折り曲げて形成した接続辺部２２のプラスチック素材の弾性により互いに閉じる方向に付勢されている。着脱支持部１４は、一端側（図２上、左側）が挿入先端２４側となり、長手方向に沿って型板の挿入方向Ｆｄ及びその逆の取り出し方向Ｒｄとなっている。なお、着脱支持部１４の他端側（図２上、右側）は、長手方向に沿って次第に幅狭く形成された取り出し操作の基部２６が一体的に連設され、つまみ部２０を形成している。着脱支持部１４の２枚の薄板１８は、図３に示すように、長手方向に直交する断面形状が円弧状に曲成した略円弧曲板からなり、互いに円弧内側を向かい合わせて、互いに外側に膨出している。薄板１８は、上述のようにプラスチックからなるので、例えば、人の手で着脱支持部１４の外側から圧接すると簡単に弾性的に変形し、薄板１８の間に挟んだ書類８０を挟持状に支持できる。また、人手による圧接を開放すると薄板１８の素材の弾性復元により互いに円弧曲板に復帰する。これにより、着脱支持部１４は書類８０を支持する際には、２枚の薄板の板面に沿った状態で挟持して封筒７０内に挿入できる。さらに、着脱支持部１４は、封筒７０内では、薄板の弾性復元により着脱支持部１４と書類８０の密着係合状態をある程度離すように作用させて着脱支持部１４と書類８０との摩擦を低減し、型板１２の封筒７０からの取り出しをスムーズにさせうる。なお、薄板１８は、円弧曲板に限らず、平板で形成してもよく２枚の薄板を閉鎖した際に板面を密着させるように構成されていてもよい。着脱支持部１４の挿入先端２４に切欠き１６が設けられている。
【００２４】
切欠き１６は、書類８０を支持した型板１２を封筒７０内に挿入した状態で、人手による封筒７０の外部からの操作で封筒７０と書類８０とを圧接させ、型板１２と書類８０との係合を強制離脱させて型板１２のみを封筒７０内から取出し可能とするための手段である。本実施形態では、切欠き１６は、図１、図２に示すように、例えば、各薄板１８の挿入先端側２４の短辺の中間位置（幅方向中間位置）から、長手方向（取り出し方向）に向けて凹状に切欠されている。この切欠き１６により、薄板１８の挿入先端側２４は略二股状に形成されている。図上では、切欠き１６は、例えば、薄板１８の挿入先端側から取り出し方向に向けて次第に幅狭くなる台形形状に形成されている。なお、切欠き１６の形状は、台形形状に限らず、半円形状、長円形状、三角形状、矩形状、五角形、多角形状等その他任意の形状でもよい。また、切欠き１６は着脱支持部１４の挿入先端側にその切欠開放端部を設定すれば任意の位置でよく、例えば、切欠き１６は薄板１８の隅部側に設けてもよい。しかしながら、本実施形態のように、切欠き１６を薄板１８の幅方向中間位置に設けることにより、薄板１８の挿入先端側の書類の角の折れ等を防止できるとともに、封筒外部からの該封筒と書類との圧接を確実に行える。この切欠き１６は、着脱支持部１４において支持する書類８０に対して非係合部分又は非被覆部分となっており、封筒７０内に挿入するに先立って書類８０を支持した状態では該書類８０の一部分について表裏両面ともに外部に露出させるようになっている。これにより、図６（ｃ）（ｄ）に示すように、書類８０を支持した型板１２を封筒７０内に挿入した状態で、切欠き１６の位置に対応した部分を封筒の外側から掴むように人手で圧接すると、該圧接位置Ｐｒでは型板１２の着脱支持部１４を避けて封筒７０と書類８０を直接に圧接しながら該封筒７０と書類８０を拘束できる。この状態で、型板１２を引出し方向Ｒｄに引っ張ると、封筒７０内の書類８０についてはその位置を保持しながら、型板１２と書類８０との係合を強制離脱させて、型板１２のみを取り出すことができる。さらに、この際、封筒７０外部からの封筒８０と書類７０との圧接係合により、書類８０に記載した宛て先８２と封筒７０の透明窓部７６との位置を保持させることができ、型板１２の取り出し操作による位置ずれを良好に防止でき、窓付き封筒における正確な宛て先の位置合わせを実現できる。
【００２５】
図１、図２、図６に示すように、型板１２には、該型板１２を封筒７０内に挿入した状態で封筒７０の開口７２から外側に突出される取出し操作用のつまみ部２０が設けられている。本実施形態では、つまみ部２０は、着脱支持部１４の挿入先端とは対向する端部側に設けられる基部２６に連設されており、着脱支持部１４を構成する薄板１８と一体的に形成されている。基部２６は、例えば、着脱支持部１４の長手方向端部側から長手方向に沿って延長された肩部２８と、その肩部２８からさらに長手方向に沿って延長されたつまみ部２０と、を含む。なお、肩部２８は、例えば、着脱支持部１４から約４０ｍｍ程度延長されており、つまみ部２０側に向けて次第に幅狭くなるテーパ状に形成されている。つまみ部２０は、例えば、約４０ｍｍ×４０ｍｍ程度の略矩形状に形成されている。よって、型板１２の挿入方向Ｆｄの全長すなわち、着脱支持部と肩部とつまみ部とを含む全長（例えば、２６０ｍｍ）は、封筒７０の長さ（例えば、２３５ｍｍ）よりも長く形成されている。これにより、封筒内へ挿入した型板１２を取り出す際に、型板１２を引っ張る手指が封筒や書類等と干渉することなく、つまみ部２０のみを手で摘んで型板１２のみをスムーズに取り出すことができる。
【００２６】
次に本実施形態に係る書類の封筒への挿入具１０の作用について説明する。例えば、表面に宛て先８２が記載された納品書等の書類８０を、窓付き封筒７０に挿入する際には、まず、図６（ａ）に示すように、型板１２に書類８０を支持させる。図５に示すように、書類８０を型板１２へ支持させる際には、着脱支持部１４の２枚の薄板１８を互いに開き、その間に板面に沿って書類８０を挟み入れ、薄板１８を閉鎖して重ね合わせることにより、簡単に支持させることができる。図６（ｂ）に示すように、書類８０を支持した型板１２を封筒７０の開口７２から挿入する。この際、書類８０は、ある程度硬い型板１２により挟持状に支持されることにより、挿入操作をスムーズに行えるとともに、書類８０が折れ曲がったり皺が生じたりするのを防止できる。また、型板１２が透明プラスチックであるので型板１２に支持させた状態でも書類８０の宛て先８２を確認しながら挿入操作及び窓付き封筒の窓部との位置合わせを確実に円滑に行える。書類８０を支持した型板１２を封筒７０内の奥まで挿入させた状態で、書類８０が完全に封筒内に収容され、書類８０の宛て先８２と封筒７０の透明窓部７６が位置合わせされる。そして、図６（ｃ）に示すように、挿入状態で、型板１２の切欠き１６内部側に対応する圧接位置Ｐｒを封筒７０の外部側から一方の手（例えば、左手）で掴み、型板１２を避けて封筒７０と書類８０とを圧接係合する。図６（ｄ）に示すように、他方の手（例えば、右手）で型板１２を引き出し操作する。この際、切欠き１６を介して封筒の外部からの圧接操作により、封筒７０と書類８０のずれを防止して互いの位置を保持しつつ、型板１２と書類８０との係合を強制離脱させて該型板１２のみをスムーズに引き出すことができる。これにより、封筒内に書類を手軽に短時間で挿入できるとともに、書類に記載された宛て先８２と窓付き封筒の透明窓部７６との位置合わせも正確にかつ素早く行うことができる。よって、人手で多量に書類を封筒内へ挿入する場合であっても、作業効率を向上し、作業者の労力を軽減できる。
【００２７】
なお、型板１２及び着脱支持部１４、切欠き１６、つまみ部２０等の各構成要素は、上記したものに限らず、例えば、封筒７０や書類８０のサイズに応じて設計されるとよい。例えば、封筒７０は、縦方向長さが横方向長さの約２倍程度となる長形タイプ（例えば、長形１〜４号等）、縦方向長さが横方向長さの２倍よりも短い角形タイプ（角型１〜８号等）、長辺側に開口及びフラップが形成される洋形タイプ（洋形０〜７号等）等の種々のＪＩＳ規格、国際規格等のサイズ又は規格外のサイズに対応して型板１２の大きさ形状が設けられる。例えば、長形４号（９０ｍｍ×２０５ｍｍ）の封筒に書類を挿入する場合の挿入具１０の態様では、型板１２のサイズは、例えば、長手方向（挿入方向）の全長が２３０ｍｍ程度、短辺方向長さが８５ｍｍ程度に形成される。また、封筒７０は透明窓部が設けられていないタイプの封筒でもよい。また、型板１２は２枚の薄板で構成するものに限らず、１枚の薄板で構成しても良い。また、切欠き１６は、型板に２つ以上の複数個設けることとしてもよい。例えば、型板全体を略矩形状に形成し、その対向する両端部側にそれぞれ切欠き１６を設ける態様としてもよい。また、つまみ部２０の大きさ形状は任意でよく、例えば、着脱支持部と同じ幅で形成してもよいし、半円状、細長い帯状、舌片形状等で形成してもよい。また、つまみ部は、２枚の薄板１８のうち一方のみに設けてもよい。また、つまみ部２０は着脱支持部１４を構成する板材とは別の部材で構成し、着脱支持部に接着剤やその他固定手段で後付して構成してもよい。また、つまみ部２０は必ずしも設けなくてもよく、着脱支持部１４自体を手で掴んで取り出し操作するようにしてもよい。
【００２８】
次に、図７ないし図１０を参照しつつ、本発明の書類の封筒への挿入具１０−２の第２の実施形態について説明する。上記した第１実施形態と同一構成、同一部材には、同一符号を付し、その詳細な説明は省略する。本実施形態では、挿入具１０を利用する封筒７０ａの態様が第１実施形態の封筒と異なっており、該封筒７０ａに対応して挿入具１０−２が構成されている。具体的には、この実施形態では封筒７０ａは、例えば、図１０に示すように、一方に長い長方形状に設けられた窓付き封筒からなるが、１つの長辺側に開口７２及び開口７２を閉鎖するフラップ７４が一体的に設けられている。封筒７０ａのサイズは、例えば、２３５ｍｍ×１２０ｍｍでいわゆる洋形０号（洋形長３号ヨコ封）規格となっている。
【００２９】
本実施形態に係る挿入具１０−２は、上記実施形態同様に、着脱支持部１４と、切欠き１６と、を備えた型板１２ａを含む。型板１２ａは、例えば、図８に示すような所定形状の一枚の透明プラスチック板を２つ折りして２枚の薄板体で構成されており、着脱支持部１４は、例えば、略矩形状の２枚の薄板１８で構成されている。着脱操作部１４の薄板１８は、例えば、それぞれ２３０ｍｍ×１００ｍｍ程度のサイズで形成されており、１つの短辺どうしが接続されている。薄板１８は短辺側の接続辺２２を介して開閉自在となっている。着脱操作部１４は、長辺側開口の封筒７０ａに対応して、例えば、短辺方向に沿って挿入方向Ｆｄ及び取り出し方向Ｒｄとなる。したがって、着脱支持部１４の１つの長辺側が挿入先端２４側となり、各薄板１８には該長辺側に半円状の切欠き１６が形成されている。着脱支持部１４の薄板１８の他の長辺側には、略台形状に突出したつまみ部２０が一体的に形成されている。本実施形態では、薄板１８は、例えば、平板状に形成されている。
【００３０】
次に本実施形態に係る書類の封筒への挿入具１０−２の作用について説明する。上記実施形態同様に、表面に宛て先８２が記載された書類８０を窓付き封筒７０ａに挿入する際には、まず、図９、図１０（ａ）に示すように、着脱支持部１４の２枚の薄板１８を開き、それらの薄板１８間に板面に沿って書類８０を挟み入れ、薄板１８を閉鎖して支持させる。図１０（ｂ）に示すように、書類８０を支持した型板１２を封筒７０ａの開口７２から挿入する。図１０（ｃ）に示すように、封筒内への挿入状態で、型板１２の切欠き１６内部側に対応する圧接位置Ｐｒを封筒７０ａの外部側から一方の手で掴み、型板１２を避けて封筒７０ａと書類８０とを圧接して拘束する。そして図１０（ｄ）に示すように、他方の手で型板１２を引き出し操作する。この際、封筒の外部からの圧接操作により、封筒７０ａと書類８０のずれを防止して互いの位置を保持しつつ、型板１２と書類８０との係合を強制離脱させて該型板１２のみをスムーズに引き出すことができる。これにより、上記実施形態同様に、封筒７０ａ内に書類８０を手軽に短時間で挿入できるうえ、書類に記載された宛て先８２と窓付き封筒の透明窓部７６との位置合わせも正確にかつ素早く行うことができ、作業効率を向上し、作業者の労力を軽減できる等の作用効果を奏しうる。
【００３１】
以上説明した本考案の書類の封筒への挿入具は、上記した実施形態のみの構成に限定されるものではなく、実用新案登録請求の範囲に記載した本考案の本質を逸脱しない範囲において、任意の改変を行ってもよい。
【産業上の利用可能性】
【００３２】
本考案の書類の封筒への挿入具は、例えば、納品書、請求書、紙製、合成樹脂製ラミネートシート状等の種々の書類を人手で封筒に挿入するのに好適に利用できる。特に、窓付き封筒に宛て先が記載された書類を入れて、書類の宛て先を封筒の宛て先として利用する場合の書類挿入作業で有利である。
【符号の説明】
【００３３】
１０    書類の封筒への挿入具
１２    型板
１４    着脱支持部
１６    切欠き
１８    薄板
２０    つまみ部
７０    封筒
８０    書類
【図１】
0003170064.tif 000003
【図２】
0003170064.tif 000004
【図３】
0003170064.tif 000005
【図４】
0003170064.tif 000006
【図５】
0003170064.tif 000007
【図６】
0003170064.tif 000008
【図７】
0003170064.tif 000009
【図８】
0003170064.tif 000010
【図９】
0003170064.tif 000011
【図１０】
0003170064.tif 000012